(57)【特許請求の範囲】
【請求項１】
可撓性のある材質で出来た多角形または楕円形ないし円形の板状をしたそれぞれ互いに連結するための突起部とそれを差し込んで外れないように固定させる差込部からなる機構を備えた側面部品を複数個、円周方向に連結して作られた円筒形状または円錐形状の側面を有し、前記の側面部品のうち少なくとも１つは、前記突起部又は差込部を設けた端部から接続部で一体接続された板を折り曲げて重ね合わせた二重構造を有し、その板の間に写真、絵、文字、模様を書いたものを挟むことが出来る機能を備えたことを特徴とする円筒形状組立物入れ。
【請求項２】
前記の側面は、分離された底および蓋または底か蓋のどちらかを連結するための連結突起を上部および下部またはそのどちらかに有し、当該連結突起を底または蓋に備えられている連結穴に差し込んで固定することにより底や蓋を設けたことを特徴とする請求項１に記載の円筒形状組立式物入れ。      
【請求項３】
前記の円筒形状または円錐形状の側面は、分離された底および蓋または底か蓋のどちらかを連結固定すること無く、側面の上部および下部またはそのどちらかに被せることにより底や蓋を設けたことを特徴とする請求項１に記載の円筒形状組立式物入れ。  
【発明の詳細な説明】
【技術分野】
【０００１】
本発明は組立式の箱やケースなどの簡易物入れに関するものである。
【背景技術】
【０００２】
従来の組立式の箱やケースの中で、側面が円筒形状または円錐形状に組み立てられたものには、下記特許文献１に代表されるような一つの側面部品と底や蓋が側面と分離した部品で出来た包装箱および、下記特許文献２のような一つの側面部品のみで底や蓋が無く中空円筒の内側に袋をセットして使用する多目的ボックスがあった。
【先行技術文献】
【特許文献】
【０００３】
【特許文献１】登録実用新案公報  第３０５９３２７号
【特許文献２】登録実用新案公報  第３０６７０５３号
【発明の概要】
【発明が解決しようとする課題】
【０００４】
上記従来の、側面が円筒形状または円錐形状である組立式の箱やケースなどの簡易物入れ（以降、「側面が円筒形状または円錐形状である組立式の箱やケースなどの簡易物入れ」を「円筒形状組立式物入れ」と言う）では、側面は分解出来ない一つの部品であるため色やデザインは１種類に固定化され、組み立てて使用する者（以降、「組み立てて使用する者」を「組立使用者」と言う）が側面の一部を変更して独自性のあるものを作ることは出来なかったのみならず、生産者は側面部品の組み合により容易に製品のバリエイションを増やすことは出来なかった。また、底、蓋、側面を分解して部品に戻した場合、円筒形状の直径が大きくなると側面部品の円周方向の長さ寸法が長くなり、組立式の利点である分解し製品を小さくして包装出来ることや携帯し易くするという効果が薄れてしまう欠点があった。本発明は、これらの問題を解決するためになされたものである。      
【課題を解決するための手段】
【０００５】
そこで、この発明に関する、円筒形状組立式物入れは、可撓性のある材質で出来た多角形または楕円形ないし円形の板状をしたそれぞれ互いに連結するための突起部とそれを差し込んで外れないように固定させる差込部からなる機構を備えた側面部品を複数個、円周方向に連結して作られた円筒形状または円錐形状の側面を有していることを特徴とする。  
【発明の効果】
【０００６】
円筒形状または円錐形状の側面が複数の部品を円周方向に連結する構造になっているため、デザインが同じもしくは異なる側面部品を多数用意しておけば、組み合わせ方によって独自性のあるデザインの側面を持った円筒形状の組立式物入れを作ることが出来るようになった。また、円周方向の長さが円周より短い側面部品を複数連結させて組み立てる構造なので、直径の大きい円筒形状組立式物入れでも側面部品の数を増やせば、全て小さな板状の部品に分解して包装が出来、携帯もし易くなった。    
【図面の簡単な説明】
【０００７】
【図１】本発明の実施例１にかかる説明図。
【図２】本発明の実施例１にかかる部分的な詳細説明図。
【図３】本発明の実施例１にかかる部分的な詳細説明図。
【図４（ａ）】本発明の実施例１の実際に連結する方法の初期状態の説明図。
【図４（ｂ）】本発明の実施例１の実際に連結する方法の中間の状態の説明図。
【図４（ｃ）】本発明の実施例１の実際に連結する方法の完成状態の説明図。
【図５】本発明の実施例１にかかる使用方法の一例の説明図。
【図６】本発明の実施例２にかかる説明図。
【図７】本発明の実施例２にかかる部分的な詳細説明図。
【図８】本発明の実施例２にかかる部分的な詳細説明図。
【図９】本発明の実施例２にかかる部分的な詳細説明図。
【図１０（ａ）】本発明の実施例２の連結方法の部分拡大説明図。
【図１０（ｂ）】本発明の実施例２の連結方法の部分拡大説明図。
【図１１】本発明の実施例２にかかる部分拡大説明図。
【図１２】本発明の実施例２にかかる別例の説明図。
【図１３】本発明の実施例３にかかる説明図。
【図１４（ａ）】本発明の実施例３にかかる部分的な展開図による説明図。
【図１４（ｂ）】本発明の実施例３にかかる図１４(a)の使用時の構造説明図。
【図１５】本発明の実施例３にかかる実際使用の一例を示す部分的な説明図。
【図１６】本発明の実施例４にかかる説明図。
【図１７】本発明の実施例４にかかる別例説明図。
【図１８（ａ）】本発明の実施例５にかかる展開図による説明図。
【図１８（ｂ）】本発明の実施例５にかかる図１８(a)の使用時の構造説明図。
【図１８（ｃ）】本発明の実施例５にかかる使用の一例を示す説明図。
【図１８（ｄ）】本発明の実施例５にかかる使用の一例を示す説明図。
【図１８（ｅ）】本発明の実施例５にかかる使用の一例を示す説明図。
【発明を実施するための形態】
【実施例１】
【０００８】
本発明の実施例１を説明する。
この発明の円筒形状組立式物入れ１００は、図１に示すように、円筒形状の側面１１０のみで出来ている。当該円筒形状の側面１１０は、それぞれが可撓性のある材質で出来た、四角形の板状のそれぞれが互いに連結出来る機構を左右に備えた側面部品１０１−１、１０１−２、１０１−３を、各々円周方向に連結させた構造になっている。
【０００９】
同じ形状および機構を備えた側面部品１０１−１、１０１−２、１０１−３は、図２に示すように、円筒形状の側面１１０の円周長さよりは小さい長さの円周方向の辺１０２と、使用目的に合わせた長さの縦の辺１０３を持ち、縦の辺１０３の一方の辺の端部には連結するための４個の突起部１０４が、他方の辺の端部付近には突起部１０４を差し込んで連結固定するための差込部１０５が突起部１０４と同数設けられていて、互いの位置関係は複数の側面部品１０１をそれぞれ連結させて円筒形状にした場合でも、円周方向の辺１０２が連結部分で上下にずれることなく、円筒形状の側面１１０が正常な円筒形状になるような位置に設けられている。なお、それぞれの側面部品１０１の円周方向の辺１０２の寸法は同じであっても異なっていても良い。また、側面部品１０１のは、実施例１の場合は３個の四角形であるが、３個以外の複数個の他の多角形または楕円形もしくは円形を連結させて円筒形状の側面１１０にしても良い。実施例１は円筒形状であるが、円錐形状の場合は円周方向の辺１０２の寸法は当然上辺と下辺の長さは異なる。
【００１０】
側面部品１０１を円周方向に連結させるため機構である突起部１０４及び差込部１０５は、図３に示すように、突起部１０４は、縦の辺１０３の一方の縦の辺１０３−１から突き出ていて、突起軸１０７とその突起軸の先に突起軸の幅よりやや広い幅のアンカー部１０８を有する。他方の差込部１０５は、突起部１０４が設けられた辺と反対側の縦の辺１０３−２近くに設けられ、突起部１０４を差込部１０５に差し込んで連結する時、突起部１０４のアンカー部１０８がスムースに挿入または取り外しが出来て、しかも外れ難いような幅の細い貫通穴のスリット貫通穴１０９と、突起軸１０７の幅よりやや大きくアンカー部１０８の幅より狭いスライド貫通穴１２０が反対側の縦の辺１０３−２に近づく方向にスリット貫通穴１０９と連続して設けられている。この突起部１０４と差込部１０５を実際に連結して固定させる方法は、図４（a）に示すように円筒形の外側から突起部１０４を差込部１０５に挿入し、次に図４（b）のように突起軸１０７をスライド貫通穴１２０にスライドさせ、次の図４（c）のようにスライド貫通穴１２０の幅より大きいアンカー部１０８をスライド貫通穴１２０の内側に引っ掛ける。全ての側面部品１０１を連結させ円筒形状にすると、それぞれの側面部品は可撓性のある材質の剛性により平面に戻ろうとして引っ張り合いアンカー部１０８は外れず、突起部１０４と差込部１０５は強固に固定される。この機構は分解することも可能であり、その時は逆に各アンカー部１０８をスリット貫通穴１０９に戻すようにスライド貫通穴１２０を逆にスライドさせ突起部１０４を外す。この突起部１０４及び差込部１０５における突起軸１０７の長さやアンカー部１０８の長さと幅、またスライド貫通穴１２０と縦の辺１０３−２までの長さは、連結した時に強度的に充分でありスムースに円筒形状になる寸法であれば良い。なお、突起部１０４及び差込部１０５の先端形状や貫通穴のコーナー形状は、連結する時簡単に挿入出来、アンカー部が引っ掛かり、固定および取り外し出来る機能さえ満たしていれば図３に示されている形状に特定するものではない。  
【００１１】
この実施例１の円筒形状組立式物入れ１００を実際に使用する場合は、図１のように、同じまたは異なるデザインの側面部品１０１を選び、好みの順に連結させた円筒形状または円錐形状の側面１１０を作り、その内側に直接物を立てかけるか、図５に示すようにビニールや紙などで出来た袋１１１を内部に被せるように取り付けて使用する。
【実施例２】
【００１２】
本発明の実施例２を説明する。
この実施例２の円筒形状組立式物入れ２００は、実施例１の円筒形状組立式物入れ１００に、簡単に連結出来る分離された部品の底および蓋を設けたことを特徴とする。従って、図６に示すように、底１３０と、蓋１４０と、底１３０および蓋１４０を連結出来る機構を上下に備えた側面部品２０１−１、２０１−２、２０１−３を各々円周方向に連結した側面２１０とから構成されている。  
【００１３】
同じ形状および機能を備えた側面部品２０１は、図７に示すように、前述の図２に示した側面部品１０１に底１３０と蓋１４０を連結出来る機構である連結突起１０６を設けたものであるため、実施例１の側面部品１０１を基本に、連結突起１０６のみを説明する。また、当該連結突起１０６は、下辺と上辺に各２か所設けられていているが、下辺と上辺の違いはあっても同じ構造をしているので下辺の一例で説明する。なお、連結突起１０６の個数は、円筒形状組立式物入れの大きさにより変化する。  
【００１４】
底１３０と蓋１４０を連結する機構である連結突起１０６は、図８に示すように側面部品の円周方向の辺１０２から突起長さ１２１および突起幅１２２のように突き出ており、円周に対し同方向に切り込み１２３が設けられている。この切り込み１２３と円周方向の辺１０２との隙間１２４は、底や蓋の平面状の板を挟むように引っ掛けるためのもので、底や蓋の厚みよりやや大きく出来ている。なお、隙間１２４の寸法は、一部を底１３０や蓋１４０の厚みより小さいか同じ寸法にすることにより、底１３０と蓋１４０が円筒形状の側面２１０と外れ難くすることも出来る。
【００１５】
底１３０は図９に示すように、円形の平面で、円筒形状の側面２１０と連結させるための連結穴１３１を有している。当該連結穴１３１は、円筒形状の側面２１０とほぼ同じ半径の円周上に設けられていて、円筒形状の側面２１０が有する連結突起１０６をそれぞれ同時に挿入出来る位置に設けられた長方形状の貫通穴で、長辺は前述の突起幅１２２より若干長く、短辺はやや円周に沿って湾曲した連結突起１０６がスムースに挿入および取り外しが出来る最少の幅を有している。実際に底１３０と円筒形状の側面２１０を連結する場合は、部分拡大図の図１０（a）に示すようにそれぞれの連結突起１０６をそれぞれの連結穴１３１に差し込んだ後、図１０（b）のように底１３０をそれぞれの連結突起１０６の隙間１２４に挟みこむ方向に回転させて連結する。なお、連結穴１３１の数や位置は連結突起１０６の個数に合わせ変化する。
【００１６】
蓋１４０は図１１に示すように、ドウナツ状の連結平面１４１と蓋平面１４２からなっていて、互いに可撓性のあるヒンジ１４３により繋がっているが、重ねると平面状になるようになっている。連結平面１４１には、底１３０と同様の機構を持つ蓋連結穴１４４を有する。また、蓋平面１４２には、側面部品２０１と連結平面１４１を連結した時に上に突き出る連結突起１０６が蓋平面１４２で蓋をした時当たって、平面状に蓋をする邪魔にならないよう連結突起１０６が重なるそれぞれの位置に連結突起１０６より大きい穴１４５が設けられている。なお、蓋平面１４２は設けず連結平面１４１のみを設けるか、もしくは図１２に示すように、蓋１４０全てを設けなくても良い。蓋１４０が無い場合は側面部品２０１の上辺の連結突起１０６は当然設けない。
【実施例３】
【００１７】
本発明の実施例３を説明する。
この発明の円筒形状組立式物入れ３００は、図１３に示すように、側面部品３０１−１、３０１−２、３０１−３がそれぞれ円周方向に連結された円筒形状の側面３１０のみで出来ていて円筒の外側から見ると実施例１と同様に見えるが、当該側面部品３０１は、それぞれが可撓性のある材質で出来た組立式物入れ１００と同じ連結機構を備えていると同時に、板を重ね合わせた二重構造を有し、それぞれの板は互いに一部接続されていることにより板の間に写真、絵、文字、模様の書かれたもの等を挟めることを特徴としている。なお、実施例３では、この側面部品３０１は３つ全て二重構造を有する側面部品を使用しているが、二重構造を有する側面部品は１つから３つの任意の数であって他は実施例１と同様の一枚の板状の側面部品でも良く、側面部品数が３つ以外の複数の場合であっても、二重構造を有する側面部品の使用個数は任意であって良い。また、実施例２と同様に蓋や底を設けても良く、写真を挟めば組立式の物入れに止まらず円筒形状の写真立てとしても使用できる。  
【００１８】
二重構造を有する側面部品３０１は、一例を図１４（ａ）の平面展開図で示すように、いずれも可撓性のある材質で出来た、円筒形の外側にくる外板３１０−１と内側に重なる内板３１０−２からなっていて、外板３１０−１は、実施例１の組立式物入れ１００と同様の側面部品をそれぞれ連結する機構の突起部１０４及び差込部１０５を備え、外板の円周方向の辺３０２と、使用目的に合わせた長さの外板の縦の辺３０３を持っている。他方の内板３１０−２は、側面部品３０１をそれぞれ連結する機構は無く、外板３１０−１が有する連結する機構の差込部１０５と、もう一つの連結するための機構の突起部１０４に対しては内板の円周方向の辺３０４が外板３１０−１の外板の円周方向の辺３０２より突起部１０４と重ならないよう短く設定されていて、接続部３１１で外板３１０−１と一体接続されている。これを図１４（ｂ）のように接続部３１１で折り曲げて２枚の板を重ね合わせることにより二重構造を形成させている。前述の２枚の板が接続されている接続部３１１は、外板の縦の辺３０３の左右どちら側でもよく、接続方法も一般に市販される接続具により接続するか、接着または実施例３のように一枚の板を折り曲げて接続するか、いずれかの接続方法であってよい。なお、内板３１０−２は、側面部品をそれぞれ円周方向に連結する機構を有する外板３１０−１と一部または全く同じ形状および連結する機構を有した二重構造であっても良い。また、図１５に示すように、この二重構造の外板３１０−１は、透明か、表面に一部または全面にデザインが施されていて、透明または不透明の内板３１０−２との間に組立使用者の好みの写真、絵、文字、模様が書かれたもの等のデザインパーツ３２０を挟み、それぞれの側面部品３０１を連結して円筒形状に固定すると、デザインパーツ３２０が透けて見え、デザインを変化させることが出来る構造になっている。  
【実施例４】
【００１９】
本発明の実施例４を説明する。
この発明の円筒形状組立式物入れ４００は、図１６に示すように、実施例２と同様の構造を有するが蓋１４０が無い円筒形状の側面４１０−１と底４３０−１で出来たものの上から、これと同じような構成を有する円筒形状の側面４１０−１の直径と高さが若干異なる円筒形状の側面４１０−２と底４３０−２で出来たものを反転させて被せることを特徴としている。従って、実施例２の側面部品２０１に設けられているような蓋用の連結突起１０６は、円筒形状の側面４１０−１にも円筒形状の側面４１０−２のいずれにも設けられていない。なお、図１７に示すように、底４３０−２にドウナツ状の穴が設けられていたり、一方の側面４１０−１には底４３０−１が無くても良く、それを逆さまにして使用しても良い。    
【実施例５】
【００２０】
本発明の実施例５を説明する。
この実施例５の５００は、円筒形状組立式物入れに蓋および底を設ける方法として、側面と連結させずに単に被せることを特徴とする。この蓋または底５３０は、図１８(a)に示すように、ドウナツ状をした平面の外径側と内径側にそれぞれ外突起５３１と内突起５３３が設けられていて、当該外突起５３１と内突起５３３は、それぞれの幅でドウナツ状の平面にそれぞれ外突起の切込み位置５３２までおよび内突起の切込み位置５３４まで切り込みが入っている。これを図１８(b)のように、蓋に使用する場合は各外突起５３１と内突起５３３をそれぞれ外突起の切込み位置５３２と内突起の切込み位置５３４の所で下に折り曲げ、底に使用する場合は上に折り曲げる。この状態で図１８(c)のように、前述した側面部品が連結された構造をもつ側面５１０−１０に、各外突起５３１と内突起５３３が外側と内側から側面５１０−１０を挟む状態で被せて使用するか、図１８(d) および図１８(e)のよう、前述した側面部品が連結された構造をもつ二つの側面５１０−２０と５１０−３０の間に各外突起５３１と内突起５３３を差し込む状態で被せて蓋または底として使用することを特徴とする。従って、側面５１０と蓋または底５３０は連結機構を互いに備えていない。なお、外突起５３１と内突起５３３それぞれの個数や大きさは、物入れの寸法により異なり、外突起５３１または内突起５３３もどちらか一方のみを有していても良い。また、図１８(e)の側面５１０−２０と５１０−３０は説明を分かり易くするため、側面部品がそれぞれ連結されている状態を図面上では省略している。  
【符号の説明】
【００２１】
１００  実施例１の円筒形状組立式物入れ
１０１、１０１−１、１０１−２、１０１−３  実施例１の側面部品
１０２  実施例１の円周方向の辺  
１０３  実施例１の縦の辺  
１０３−１  実施例１の一方の縦の辺
１０３−２  実施例１の反対側の縦の辺
１０４  突起部
１０５  差込部  
１０６  連結突起
１０７  突起軸
１０８  アンカー部
１０９  スリット貫通穴
１１０  実施例１の円筒形状の側面
１１１  袋
１２０  スライド貫通穴
１２１  突起長さ
１２２  突起幅
１２３  切り込み
１２４  隙間
１３０  底
１３１  連結穴
１４０  蓋
１４１  連結平面
１４２  蓋平面
１４３  ヒンジ
１４４  蓋連結穴
１４５  穴
２００  実施例２の円筒形状組立式物入れ
２０１、２０１−１、２０１−２、２０１−３  実施例２の側面部品
２１０  実施例２の円筒形状の側面
３００  実施例３の円筒形状組立式物入れ
３０１、３０１−１、３０１−２、３０１−３  実施例３の側面部品
３０２  外板の円周方向の辺
３０３  外板の縦の辺
３０４  内板の円周方向の辺
３０５  内板の縦の辺
３１０  実施例３の円筒形状の側面
３１０−１  外板
３１０−２  内板
３１１  接続部
３２０  デザインパーツ
４００  実施例４の円筒形状組立式物入れ  
４１０、４１０−１、４１０−２  実施例４の円筒形状の側面
４３０、４３０−１、４３０−２  実施例４の底
５００  実施例５
５１０、５１０−１、５１０−２０、５１０−３０  実施例５の側面
５３０  実施例５の蓋および底
５３１  外突起
５３２  外突起の切り込み位置
５３３  内突起
５３４  内突起の切り込み位置
【要約】      （修正有）【課題】側面が円筒形状の組立式の箱やケースなどの簡易物入れの側面を独自性のあるものとし、製品の包装を簡素化出来ると共に、底、蓋、側面を分解して部品に戻した場合に携帯し易くするという効果を提供する。【解決手段】可撓性のある材質で出来た多角形または楕円形ないし円形の板状をしたそれぞれ互いに連結するための突起部とそれを差し込んで外れないように固定させる差込部からなる機構を備えた側面部品１０１を複数個、円周方向に連結して作られた円筒形状または円錐形状の側面を有していることを特徴とする円筒形状組立式物入れ１００。【選択図】図１【図１】
0005457583.tif 000002
【図２】
0005457583.tif 000003
【図３】
0005457583.tif 000004
【図４（ａ）】
0005457583.tif 000005
【図４（ｂ）】
0005457583.tif 000006
【図４（ｃ）】
0005457583.tif 000007
【図５】
0005457583.tif 000008
【図６】
0005457583.tif 000009
【図７】
0005457583.tif 000010
【図８】
0005457583.tif 000011
【図９】
0005457583.tif 000012
【図１０（ａ）】
0005457583.tif 000013
【図１０（ｂ）】
0005457583.tif 000014
【図１１】
0005457583.tif 000015
【図１２】
0005457583.tif 000016
【図１３】
0005457583.tif 000017
【図１４（ａ）】
0005457583.tif 000018
【図１４（ｂ）】
0005457583.tif 000019
【図１５】
0005457583.tif 000020
【図１６】
0005457583.tif 000021
【図１７】
0005457583.tif 000022
【図１８（ａ）】
0005457583.tif 000023
【図１８（ｂ）】
0005457583.tif 000024
【図１８（ｃ）】
0005457583.tif 000025
【図１８（ｄ）】
0005457583.tif 000026
【図１８（ｅ）】
0005457583.tif 000027